(57)【特許請求の範囲】
【請求項１】
複数の無線デバイスが接続される通信システムの監視及び管理を行う監視管理装置において、
前記通信システムに接続されている無線デバイスの接続状況を示す接続情報を記憶する記憶部と、
前記記憶部に記憶された前記接続情報に基づいて、前記通信システムに接続されている無線デバイスを表示する表示部と、
前記表示部に表示される無線デバイスに対する指示が入力される入力部と、
無線デバイスの通信を一括して停止させる旨を示す一括停止指示が前記入力部に入力された場合に、前記記憶部に記憶された前記接続情報を参照して、予め設定された条件に合致する無線デバイス以外の無線デバイスの通信を一時的に停止させる制御を行う制御部と
を備えることを特徴とする監視管理装置。
【請求項２】
前記制御部は、前記通信システムに接続されている無線デバイスのうち、前記一括停止指示が入力される前に前記入力部に入力された指示に基づいて特定された無線デバイス以外の無線デバイスの通信を一時的に停止させる制御を行うことを特徴とする請求項１記載の監視管理装置。
【請求項３】
前記制御部は、前記入力部に入力された指示に基づいて特定された無線デバイスの通信経路が他の無線デバイスを介して確立されている場合には、特定された無線デバイス及び該他の無線デバイス以外の無線デバイスの通信を一時的に停止させる制御を行うことを特徴とする請求項２記載の監視管理装置。
【請求項４】
前記無線デバイスの各々には、優先順位が設定されており、
前記制御部は、前記入力部に入力される指示に基づいて設定される優先順位よりも低い優先順位が設定された無線デバイスの通信を一時的に停止させる制御を行う
ことを特徴とする請求項１記載の監視管理装置。
【請求項５】
複数の無線デバイスが接続される通信システムの監視及び管理をコンピュータで実現させる監視管理プログラムであって、
前記コンピュータを、前記通信システムに接続されている無線デバイスの接続状況を示す接続情報を記憶する記憶手段と、
前記記憶手段に記憶された前記接続情報に基づいて、前記通信システムに接続されている無線デバイスを表示する表示手段と、
前記表示手段に表示される無線デバイスに対する指示が入力される入力手段と、
無線デバイスの通信を一括して停止させる旨を示す一括停止指示が前記入力手段に入力された場合に、前記記憶手段に記憶された前記接続情報を参照して、予め設定された条件に合致する無線デバイス以外の無線デバイスの通信を一時的に停止させる制御を行う制御手段と
して機能させることを特徴とする監視管理プログラム。
【請求項６】
請求項５記載の監視管理プログラムを記録したコンピュータ読み取り可能な記録媒体。
【発明の詳細な説明】
【技術分野】
【０００１】
本発明は、無線デバイスが接続される通信システムの監視及び管理を行う監視管理装置及び監視管理プログラム、並びに当該プログラムを記録したコンピュータ読み取り可能な記録媒体に関する。
【背景技術】
【０００２】
無線デバイスの一種であるフィールド機器は、流量計や温度センサ等のセンサ機器、流量制御弁や開閉弁等のバルブ機器、ファンやモータ等のアクチュエータ機器、その他のプラントや工場に設置される機器である。従来のフィールド機器は、プラント等に敷設された有線のフィールドバスを介して測定信号や制御信号等の各種信号の送受信を行うものが殆どであったが、近年では、ＩＳＡ１００．１１ａやＷｉｒｅｌｅｓｓＨＡＲＴ等の産業用無線通信規格に準拠して無線により各種信号の送受信を行うフィールド機器（無線フィールド機器）が実現されている。
【０００３】
ここで、上記の無線通信規格ＩＳＡ１００．１１ａは、国際計測制御学会（ＩＳＡ：International Society of Automation）で策定されたインダストリアル・オートメーション用無線通信規格であり、上記のＷｉｒｅｌｅｓｓＨＡＲＴは、米国のＨＡＲＴ（Highway Addressable Remote Transducer）通信協会によって提唱された無線通信用規格である。このような無線通信規格に準拠した無線フィールド機器は、無線通信が可能であるため、有線のフィールドバスの配線が困難であった場所や配線工事が不経済であった場所への設置等を容易に行うことができる等のメリットがある。
【０００４】
上記の無線通信規格ＩＳＡ１００．１１ａに準拠した通信システムは、大別すると、無線デバイス、ゲートウェイ、システムマネージャ、及び監視管理装置から構成される。無線デバイスは、上述した無線フィールド機器等であり、ゲートウェイとの間で無線パケットの送受信を行う。ゲートウェイは、システムマネージャが接続される有線ネットワークと、無線デバイスが接続される無線ネットワークとを接続して、システムマネージャと無線デバイスとの間で送受信されるパケットを中継する。
【０００５】
システムマネージャは、無線デバイスとの間で通信を行うために必要な各種情報の管理等を行うことによって通信システムを統括して管理する。監視管理装置は、通信システムの管理者によって操作され、システムマネージャが管理している各種情報の表示等を行うとともに、管理者の指示に応じた各種設定をシステムマネージャに対して行う。尚、以下の特許文献１には、温度や流量等の物理量を測定するセンサノードと、これらセンサノードを監視する監視システムとがゲートウェイノードを介して接続された通信システムが開示されている。
【先行技術文献】
【特許文献】
【０００６】
【特許文献１】特開２００９−２６０４５１号公報
【発明の概要】
【発明が解決しようとする課題】
【０００７】
ところで、プラント等に設置される通信システムは、ゲートウェイと複数の無線デバイスとの間にそれぞれ通信経路（無線通信経路）が確立され、ゲートウェイと複数の無線デバイスとの間で並行して通信が行われるのが一般的である。しかしながら、通信システムの試験時或いは緊急時には、特定の無線デバイス以外の無線デバイスとゲートウェイとの間の通信を停止させて、その特定の無線デバイスの通信を優先させたい場合がある。
【０００８】
例えば、通信システムの無線ネットワークを構築するときに行われる接続確認試験、或いは、無線デバイスが受信したパケットを的確に処理しているか否かを確認する試験では、試験対象の無線デバイス以外の無線デバイスの通信が停止された状態で試験が行われる。また、自然災害等が発生した緊急時には、優先度の低い他の通信を停止してでも、優先度の高い通信（例えば、弁の開閉等を行う制御データの送信）を迅速に行う必要がある。尚、無線デバイスの交換を行う場合にも、交換対象の無線デバイス以外の無線デバイスの通信が停止される。
【０００９】
ゲートウェイと無線デバイスとの間の通信は、管理者が監視管理装置を操作して１つの無線デバイスを選択し、選択した無線デバイスの通信を停止させる旨の指示を行えば、システムマネージャによって停止される。しかしながら、特定の無線デバイス以外の無線デバイスを停止させるには、管理者が特定の無線デバイス以外の全ての無線デバイスに対して以上の指示を行う必要があることから多大な手間及び時間を要し、緊急時に対応することは困難であるという問題がある。また、通信システムの規模が大きくなるほど通信を停止させる無線デバイスを指示する手間が増大するため、誤操作が発生する可能性も高くなるという問題がある。
【００１０】
本発明は上記事情に鑑みてなされたものであり、特定の無線デバイス以外の無線デバイスの通信を、極めて容易な操作で迅速に停止させることができる監視管理装置及び監視管理プログラム、並びに当該プログラムを記録したコンピュータ読み取り可能な記録媒体を提供することを目的とする。
【課題を解決するための手段】
【００１１】
上記課題を解決するために、本発明の監視管理装置は、複数の無線デバイス（１ａ〜１ｅ）が接続される通信システム（ＣＳ１、ＣＳ２）の監視及び管理を行う監視管理装置（４〜６）において、前記通信システムに接続されている無線デバイスの接続状況を示す接続情報（Ｄ１、Ｄ２）を記憶する記憶部（１４）と、前記記憶部に記憶された前記接続情報に基づいて、前記通信システムに接続されている無線デバイスを表示する表示部（１２）と、前記表示部に表示される無線デバイスに対する指示が入力される入力部（１１）と、無線デバイスの通信を一括して停止させる旨を示す一括停止指示が前記入力部に入力された場合に、前記記憶部に記憶された前記接続情報を参照して、予め設定された条件に合致する無線デバイス以外の無線デバイスの通信を一時的に停止させる制御を行う制御部（１５）とを備えることを特徴としている。
この発明によると、通信システムに接続されている無線デバイスの通信を一括して停止させる旨を示す一括停止指示が入力されると、記憶部に記憶された接続情報が参照されて、予め設定された条件に合致する無線デバイス以外の無線デバイスの通信を一時的に停止させる制御が行われる。
また、本発明の監視管理装置は、前記制御部が、前記通信システムに接続されている無線デバイスのうち、前記一括停止指示が入力される前に前記入力部に入力された指示に基づいて特定された無線デバイス以外の無線デバイスの通信を一時的に停止させる制御を行うことを特徴としている。
また、本発明の監視管理装置は、前記制御部が、前記入力部に入力された指示に基づいて特定された無線デバイスの通信経路が他の無線デバイスを介して確立されている場合には、特定された無線デバイス及び該他の無線デバイス以外の無線デバイスの通信を一時的に停止させる制御を行うことを特徴としている。
或いは、本発明の監視管理装置は、前記無線デバイスの各々には、優先順位が設定されており、前記制御部が、前記入力部に入力される指示に基づいて設定される優先順位よりも低い優先順位が設定された無線デバイスの通信を一時的に停止させる制御を行うことを特徴としている。
本発明の監視管理プログラムは、複数の無線デバイス（１ａ〜１ｅ）が接続される通信システム（ＣＳ１、ＣＳ２）の監視及び管理をコンピュータで実現させる監視管理プログラムであって、前記コンピュータを、前記通信システムに接続されている無線デバイスの接続状況を示す接続情報（Ｄ１、Ｄ２）を記憶する記憶手段（１４）と、前記記憶手段に記憶された前記接続情報に基づいて、前記通信システムに接続されている無線デバイスを表示する表示手段（１２）と、前記表示手段に表示される無線デバイスに対する指示が入力される入力手段（１１）と、無線デバイスの通信を一括して停止させる旨を示す一括停止指示が前記入力手段に入力された場合に、前記記憶手段に記憶された前記接続情報を参照して、予め設定された条件に合致する無線デバイス以外の無線デバイスの通信を一時的に停止させる制御を行う制御手段（１５）として機能させることを特徴としている。
本発明の記録媒体は、上記の監視管理プログラムを記録したコンピュータ読み取り可能な記録媒体（Ｍ）である。
【００１２】
また、監視管理方法は、複数の無線デバイス（１ａ〜１ｅ）が接続される通信システム（ＣＳ１、ＣＳ２）の監視及び管理を行う監視管理方法であって、前記通信システムに接続されている無線デバイスの接続状況を示す接続情報（Ｄ１、Ｄ２）に基づいて、前記通信システムに接続されている無線デバイスを表示する表示ステップと、前記表示ステップで表示された無線デバイスに対する指示が入力される入力ステップと、前記入力ステップで無線デバイスの通信を一括して停止させる旨を示す一括停止指示が入力された場合に、前記接続情報を参照して、予め設定された条件に合致する無線デバイス以外の無線デバイスの通信を一時的に停止させる制御を行う制御ステップとを有することを特徴としている。
【発明の効果】
【００１３】
本発明によれば、通信システムに接続されている無線デバイスの通信を一括して停止させる旨を示す一括停止指示が入力された場合に、記憶部に記憶された接続情報を参照して、予め設定された条件に合致する無線デバイス以外の無線デバイスの通信を一時的に停止させる制御を行っているため、特定の無線デバイス以外の無線デバイスの通信を、極めて容易な操作で迅速に停止させることができるという効果がある。
【図面の簡単な説明】
【００１４】
【図１】本発明の第１実施形態による監視管理装置によって監視及び管理される通信システムの全体構成を示すブロック図である。
【図２】本発明の第１実施形態による監視管理装置の要部構成を示すブロック図である。
【図３】本発明の第１実施形態による監視管理装置に表示される表示内容の一例を示す図である。
【図４】本発明の第１実施形態において、監視管理装置に表示されるセッション及び無線デバイスに関するパラメータを示す図である。
【図５】本発明の第１実施形態による監視管理装置の動作を示すフローチャートである。
【図６】本発明の第２実施形態による監視管理装置によって監視及び管理される通信システムの全体構成を示すブロック図である。
【図７】本発明の第２実施形態による監視管理装置の要部構成を示すブロック図である。
【図８】本発明の第２実施形態による監視管理装置に表示される表示内容の一例を示す図である。
【図９】本発明の第３実施形態による監視管理装置の要部構成を示すブロック図である。
【図１０】本発明の第３実施形態による監視管理装置に表示される表示内容の一例を示す図である。
【発明を実施するための形態】
【００１５】
以下、図面を参照して本発明の実施形態による監視管理装置、監視管理プログラム、及び記録媒体について詳細に説明する。
【００１６】
〔第１実施形態〕
図１は、本発明の第１実施形態による監視管理装置によって監視及び管理される通信システムの全体構成を示すブロック図である。図１に示す通り、通信システムＣＳ１は、無線デバイス１ａ〜１ｄ、ゲートウェイ２、システムマネージャ３、及び監視管理装置４を備えており、監視管理装置４の監視及び管理の下で、無線デバイス１ａ〜１ｄとシステムマネージャ３との間におけるゲートウェイ２を介した各種情報の通信が可能である。尚、図１では４つの無線デバイス１ａ〜１ｄを示しているが、無線デバイスの数は任意である。
【００１７】
無線デバイス１ａ〜１ｄは、例えば流量計や温度センサ等のセンサ機器、流量制御弁や開閉弁等のバルブ機器、ファンやモータ等のアクチュエータ機器等のプラントや工場に設置される無線フィールド機器であり、インダストリアル・オートメーション用無線通信規格であるＩＳＡ１００．１１ａに準拠した無線通信を行う。これら無線デバイス１ａ〜１ｄの動作は、システムマネージャ３からゲートウェイ２を介して送信されてくる制御データに基づいて制御される。また、無線デバイス１ａ〜１ｄで得られた測定データはゲートウェイ２を介してシステムマネージャ３に収集される。
【００１８】
ゲートウェイ２は、システムマネージャ３及び監視管理装置４が接続される有線ネットワークＮ１と、無線デバイス１ａ〜１ｄが接続される無線ネットワークＮ２とを接続し、無線デバイス１ａ〜１ｄとシステムマネージャ３との間で送受信される各種データの中継を行う装置である。尚、ゲートウェイ２も上記の無線通信規格ＩＳＡ１００．１１ａに準拠した無線通信を行う。
【００１９】
システムマネージャ３は、有線ネットワークＮ１に接続されており、ゲートウェイ２によって形成される無線ネットワークＮ２を介して無線デバイス１ａ〜１ｄとの間で通信を行いながら無線ネットワークＮ２に接続される無線デバイス１ａ〜１ｄの制御等を行う。具体的には、無線ネットワークＮ２に参入している無線デバイス１ａ〜１ｄの制御（例えば、弁の開閉等の制御）、及び無線ネットワークＮ２に参入している無線デバイス１ａ〜１ｄで測定される測定データの収集等を行う。加えて、新たな無線デバイスを無線ネットワークに参入させるか否かの参入処理等も行う。
【００２０】
監視管理装置４は、有線ネットワークＮ１に接続されており、システムマネージャ３との間で各種情報の授受を行って通信システムＣＳ１の監視及び管理を行う。具体的に、監視管理装置４は、通信システムＣＳ１を監視するための各種情報（例えば、無線デバイス１ａ〜１ｄの接続状況を示す接続情報）をシステムマネージャ３から取得して表示する。また、通信システムＣＳ１を管理するための各種指示をシステムマネージャ３に対して行う。
【００２１】
また、監視管理装置４は、システムマネージャ３を介さずに、無線ネットワークＮ２に参入している無線デバイス１ａ〜１ｄの通信を一時的に停止させる制御を行う。このような制御を行うのは、試験時或いは緊急時等に無線ネットワークＮ２に参入している無線デバイス１ａ〜１ｄのうちの特定の無線デバイスの通信を、他の無線デバイスの通信よりも優先させるためである。
【００２２】
図２は、本発明の第１実施形態による監視管理装置の要部構成を示すブロック図である。図２に示す通り、本実施形態の監視管理装置４は、入力部１１（入力手段）、表示部１２（表示手段）、通信部１３、記憶部１４（記憶手段）、制御部１５（制御手段）、及びドライブ装置１６を備える。入力部１１は、キーボードやマウス等の入力装置を備えており、監視管理装置４を操作する管理者（通信システムＣＳ１の管理者）の指示を入力する。表示部１２は、液晶表示装置等の表示装置を備えており、制御部１５の制御の下で、無線デバイス１ａ〜１ｄに関するデバイス情報、無線デバイス１ａ〜１ｄの接続状況を示す接続情報（セッション情報）等の各種情報を表示する。
【００２３】
通信部１３は、制御部１５の制御の下で、有線ネットワークＮ１に送出すべきパケットの生成処理、生成したパケットの送出処理、及び有線ネットワークＮ１を介して送信されてきたパケットの受信処理を行う。この通信部１３は、無線デバイス１ａ〜１ｄの通信を一定時間（例えば、６０秒）だけ一時的に停止させるパケットであるスリープパケットを生成するスリープパケット生成部１３ａを備える。
【００２４】
記憶部１４は、通信システムＣＳ１の監視及び管理を行う上で必要な情報やデータを記憶する。具体的には、図２に示す通り、セッション情報Ｄ１、デバイス情報Ｄ２、及び通信データＤ３等を記憶する。ここで、セッション情報Ｄ１は、無線デバイス１ａ〜１ｄの接続状況を示す接続情報であり、デバイス情報Ｄ２は、デバイス名や製造元等の無線デバイス１ａ〜１ｄに関する情報である。また、通信データＤ３は、例えば無線デバイス１ａ〜１ｄからシステムマネージャ３に収集された測定データ等の、無線デバイス１ａ〜１ｄとシステムマネージャ３との間で送受信されたデータである。
【００２５】
制御部１５は、図２に示した各ブロックを制御して監視管理装置４の動作を統括して制御することにより、通信システムＣＳ１の監視及び管理を行う。具体的には、通信部１３を制御してシステムマネージャ３との間で通信を行うことにより、通信システムＣＳ１を監視するための各種情報（例えば、無線デバイス１ａ〜１ｄの接続状況を示す接続情報）を取得する。また、取得した各種情報を記憶部１４に記憶させるとともに、その内容を表示部１２に表示させる制御も行う。
【００２６】
また、制御部１５は、無線デバイス選択部１５ａ、通信停止制御部１５ｂ、及びタイマ１５ｃを備えており、記憶部１４に記憶されたセッション情報Ｄ１及びデバイス情報Ｄ２を参照して、無線ネットワークＮ２に参入している無線デバイス１ａ〜１ｄのうちの特定の無線デバイス以外の無線デバイスの通信を一括して一時的に停止させる制御を行う。例えば、入力部１１から入力される指示によって無線デバイス１ａが特定され、且つ、入力部１１から無線デバイスの通信を一括して停止させる旨を示す一括停止指示が入力された場合に、無線デバイス１ａ以外の無線デバイス１ｂ〜１ｄの通信を一括して一時的に停止させる制御を行う。
【００２７】
無線デバイス選択部１５ａは、入力部１１から入力される指示に基づいて記憶部１４に記憶されたセッション情報Ｄ１及びデバイス情報Ｄ２を参照し、通信を停止させる無線デバイスを選択する。上記の例では、入力部１１から入力される指示によって通信を停止させずに継続させる無線デバイスとして無線デバイス１ａが特定されているため、無線デバイス選択部１５ａは、通信を停止させる無線デバイスとして無線デバイス１ａ以外の無線デバイス１ｂ〜１ｄを選択する。
【００２８】
通信停止制御部１５ｂは、無線デバイス選択部１５ａで選択された無線デバイスの通信を一時的に停止させる制御を行う。具体的には、通信部１３のスリープパケット生成部１３ａを制御して、無線デバイス選択部１５ａで選択された無線デバイスに対してスリープパケットを送信する制御を行う。また、通信停止制御部１５ｂは、タイマ１５ｃを用いて、通信が停止されてから再開されるまでの間に、入力部１１から一括停止指示がなされるのを防止する制御も行う。
【００２９】
タイマ１５ｃは、通信停止制御部１５ｂの制御の下で時間を計時する。具体的には、通信停止制御部１５ｂによって無線デバイスに対するスリープパケットの送信制御が行われてからの時間を計時する。ここで、タイマ１５ｃが計時すべき時間は、スリープパケットによって無線デバイス１ａ〜１ｄの通信が停止される時間（例えば、６０秒）以上の時間に設定されている。これは、無線デバイスの通信が停止されている間に一括停止指示がなされるのを防止するためである。
【００３０】
ドライブ装置１６は、例えばＣＤ−ＲＯＭ又はＤＶＤ（登録商標）−ＲＯＭ等のコンピュータ読み取り可能な記録媒体Ｍに記録されているデータの読み出しを行う装置である。例えば、通信システムＣＳ１の監視及び管理を行う上で必要な各種のデータを記録媒体Ｍに記録しておけば、必要なデータを必要なときにドライブ装置１６を用いて監視管理装置４に読み込むことが可能である。
【００３１】
ここで、上述した入力部１１〜制御部１５の機能はハードウェアにより実現することもできるが、ソフトウェアにより実現することもできる。つまり、入力部１１〜制御部１５の機能を実現するプログラムをコンピュータに実行させることにより実現しても良い。例えば、入力部１１〜制御部１５の機能を実現するプログラムを記録媒体Ｍに記録しておき、ドライブ装置１６によって記録媒体Ｍに記録されたプログラムをコンピュータにインストールすることにより、入力部１１〜制御部１５の機能をソフトウェアにより実現することが可能である。
【００３２】
或いは、インターネット等のネットワークにコンピュータを接続し、記録媒体Ｍに記録されたプログラムと同様のプログラムをネットワークからコンピュータにダウンロード可能にしても良い。コンピュータにダウンロードされたプログラムは、ドライブ装置１６を用いてコンピュータ読み取り可能な記録媒体Ｍから読み取る場合と同様にコンピュータにインストールすることができる。
【００３３】
図３は、本発明の第１実施形態による監視管理装置に表示される表示内容の一例を示す図である。図３に示す通り、監視管理装置４の表示部１２に設けられた表示装置には、図３中に示すウィンドウＷ１が表示される。このウィンドウＷ１には、表示内容を切り替えるタブＴ１，Ｔ２が設けられている。タブＴ１は、無線デバイス１ａ〜１ｄとゲートウェイ２との接続状況を示す情報をウィンドウＷ１内に表示させる「トポロジ」タブであり、タブＴ２は、無線デバイス１ａ〜１ｄとゲートウェイ２との間の通信状況をウィンドウＷ１内に表示させる「通信状況」タブである。
【００３４】
「トポロジ」タブＴ１が選択された場合には、図３に示す通り、トポロジ表示領域Ｒ０、セッション情報表示領域Ｒ１、及びデバイス情報表示領域Ｒ２がウィンドウＷ１内に表示される。トポロジ表示領域Ｒ０は、無線ネットワークＮ２に参入している無線デバイス１ａ〜１ｄとゲートウェイ２との接続関係（通信経路）がグラフィカルに表示される領域である。セッション情報表示領域Ｒ１は、無線デバイス１ａ〜１ｄの接続状況を示す接続情報であるセッション（通信セッション）の内容が表示される領域である。デバイス情報表示領域Ｒ２は、無線ネットワークＮ２に参入している無線デバイス１ａ〜１ｄに関する情報が表示される領域である。
【００３５】
トポロジ表示領域Ｒ０には、無線ネットワークＮ２に参入している無線デバイス１ａ〜１ｄ及びゲートウェイ２がアイコン表示されるとともに、これら無線デバイス１ａ〜１ｄとゲートウェイ２との間に確立された通信経路を示す直線が各々のアイコンを結ぶように実線又は破線で表示される。図３に示す例では、無線デバイス１ａ〜１ｄを示す４つのアイコンＡ１〜Ａ４、ゲートウェイ２を示すアイコンＢ、及び無線デバイス１ａ〜１ｄとゲートウェイ２との間の通信経路を示す直線Ｌ１〜Ｌ４が表示されている。トポロジ表示領域Ｒ０に表示されたアイコン及び直線は、管理者が入力部１１の入力装置を操作することにより１つ又は複数選択可能である。
【００３６】
上記のセッション情報表示領域Ｒ１には、セッションリスト表示領域Ｒ１１とセッション詳細表示領域Ｒ１２とが設けられている。セッションリスト表示領域Ｒ１１は、無線デバイス１ａ〜１ｄとゲートウェイ２との間に確立されているセッションの一覧（セッションリスト）が表示される領域であり、セッション詳細表示領域Ｒ１２は、セッションリスト中の１つのセッションの詳細な内容（パラメータ）が表示される領域である。セッションリスト表示領域Ｒ１１に表示されたセッションリスト中のセッションは、管理者が入力部１１の入力装置を操作することにより１つ又は複数選択可能である。
【００３７】
また、上記のデバイス情報表示領域Ｒ２には、デバイスリスト表示領域Ｒ２１とデバイス詳細表示領域Ｒ２２とが設けられている。デバイスリスト表示領域Ｒ２１は、無線ネットワークＮ２に参入している無線デバイス１ａ〜１ｄの一覧（デバイスリスト）が表示される領域であり、デバイス詳細表示領域Ｒ２２は、デバイスリスト中の１つの無線デバイスの詳細な内容（パラメータ）が表示される領域である。デバイスリスト表示領域Ｒ２１に表示されたデバイスリスト中の無線デバイスは、管理者が入力部１１の入力装置を操作することにより１つ又は複数選択可能である。
【００３８】
図４は、本発明の第１実施形態において、監視管理装置に表示されるセッション及び無線デバイスに関するパラメータを示す図であって、（ａ）はセッションに関するパラメータを示す図であり、（ｂ）は無線デバイスに関するパラメータを示す図である。図４（ａ）に示す通り、セッションに関するパラメータには、「ServiceType」、「ActivationTime」、「SourceDevice」、「SourceSAP」、「DestinationDevice」、「DestinationSAP」、「ExpirationTime」、「Priority」、「NSDUSize」がある。
【００３９】
「ServiceType」は通信の種類（定期的通信又は非定期的通信）を示パラメータであり、「ActivationTime」はセッションの使用可能な時間を示すパラメータである。「SourceDevice」及び「SourceSAP」はセッションの送信元のデバイス名及びプロセス名をそれぞれ示すパラメータであり、「DestinationDevice」及び「DestinationeSAP」はセッションの送信先のデバイス名及びプロセス名をそれぞれ示すパラメータである。また、「ExpirationTime」はセッションが期限切れになる時間を示すパラメータであり、「Priority」はセッションの優先度を示すパラメータであり、「NSDUSize」はＮＳＤＵ（Network-layer Service Data Unit：ネットワーク層サービス・データ単位）のサイズを示すパラメータである。
【００４０】
また、図４（ｂ）に示す通り、無線デバイスに関するパラメータには、「DeviceName」、「Role」、「VendorName」、「ModelName」がある。「DeviceName」は無線デバイスのデバイス名を示すパラメータであり、「Role」は無線デバイスに設定されている役割を示すパラメータであり、「VendorName」は無線デバイスの製造元を示すパラメータであり、「ModelName」は無線デバイスのモデル名を示すパラメータである。
【００４１】
また、図３に示す例では、セッション情報表示領域Ｒ１内に一括停止ボタンＢ１が設けられている。この一括停止ボタンＢ１は、予め設定された条件に合致する無線デバイス以外の無線デバイスの通信を一時的に停止させるためのボタンである。具体的には、トポロジ表示領域Ｒ０、セッション情報表示領域Ｒ１、及びデバイス情報表示領域Ｒ２のうちの何れかの領域で選択（特定）された無線デバイス以外の無線デバイスの通信、又は、これらの領域で選択（特定）された通信経路以外の通信経路を介して行われる通信を一括して一時的に停止させるボタンである。この一括停止ボタンＢ１は、管理者が入力部１１の入力装置を操作することにより押下することが可能である。
【００４２】
次に、上記構成における監視管理装置の動作について説明する。図５は、本発明の第１実施形態による監視管理装置の動作を示すフローチャートである。尚、以下では、通信システムＣＳ１の無線ネットワークに４つの無線デバイス１ａ〜１ｄが参入しているものとし、これら無線デバイス１ａ〜１ｄについてのセッション情報Ｄ１及びデバイス情報Ｄ２が監視管理装置４の記憶部１４に記憶されているものとする。また、以下では、無線デバイス１ａ〜１ｄのうちの無線デバイス１ａ以外の無線デバイス１ｂ〜１ｄの通信を一時的に停止させる場合の動作を例に挙げて説明する。
【００４３】
まず、通信システムＣＳ１の管理者によって、監視管理装置４の表示部１２に設けられた表示装置に表示されるウィンドウＷ１（図３参照）の内容が参照されて無線デバイス１ａ〜１ｄの接続状況が確認される。尚、図３に示すウィンドウＷ１が表示装置に表示されていない場合には、監視管理装置４に設けられた入力部１１の入力装置を管理者が操作してウィンドウＷ１を表示させる。
【００４４】
無線デバイス１ａ〜１ｄの接続状況が確認されると、通信システムＣＳ１の管理者によって監視管理装置４の入力部１１に設けられた入力装置が操作され、無線デバイス１ａ〜１ｄから通信を継続させる無線デバイス１ａを特定する処理が行われる（ステップＳ１１）。具体的には、図３に示すウィンドウＷ１内のトポロジ表示領域Ｒ０に表示されたアイコンＡ１及び直線Ｌ１、セッションリスト表示領域Ｒ１１に表示されたセッションリスト中の無線デバイス１ａについてのセッション、並びにデバイスリスト表示領域Ｒ２１に表示されたデバイスリスト中の無線デバイス１ａの何れか１つを特定する操作が通信システムＣＳ１の管理者によってなされ、特定された無線デバイス１ａを示す情報が制御部１５に入力される。
【００４５】
次に、図３に示すウィンドウＷ１のセッション情報表示領域Ｒ１内に設けられた一括停止ボタンＢ１が通信システムＣＳ１の管理者によって押下されたか否かが制御部１５で判断される（ステップＳ１２）。一括停止ボタンＢ１が押下されていない場合（判断結果が「ＮＯ」の場合）には、ステップＳ１１に戻り、通信を継続させる無線デバイス１ａを特定する処理が行われる。
【００４６】
これ対し、一括停止ボタンＢ１が押下された場合（ステップＳ１２の判断結果が「ＹＥＳ」の場合）には、通信を停止させる無線デバイスを選択する処理が無線デバイス選択部１５ａによって行われる（ステップＳ１３）。具体的には、記憶部１４に記憶されたセッション情報Ｄ１及びデバイス情報Ｄ２が無線デバイス選択部１５ａによって参照され、無線ネットワークに参入している全ての無線デバイス１ａ〜１ｄのうちから、一括停止ボタンＢ１が押下される前にステップＳ１１で特定された無線デバイス１ａ以外の無線デバイス１ｂ〜１ｄを選択する処理が行われる。
【００４７】
次いで、無線デバイス選択部１５ａで選択された無線デバイス１ｂ〜１ｄの通信を一時的に停止させる処理が通信停止制御部１５ｂによって行われる（ステップＳ１４）。具体的には、通信停止処理部１５ｂによって通信部１３のスリープパケット生成部１３ａが制御され、無線デバイス選択部１５ａで選択された無線デバイス１ｂ〜１ｄに対してスリープパケットを送信する処理が行われる。
【００４８】
監視管理装置４から送信されたスリープパケットが無線デバイス１ｂ〜１ｄに受信されると、無線デバイス１ｂ〜１ｄは監視管理装置４に対してスリープパケットを受信した旨を示す応答を行った後にスリープ状態になる。これにより、無線デバイス１ｂ〜１ｄの通信が一定時間（例えば、６０秒）だけ停止される。尚、スリープパケットを送信した無線デバイスからスリープパケットを受信した旨を示す応答が無い場合には、その無線デバイスに対してスリープパケットを再送する処理が通信停止制御部１５ｂによって行われる。
【００４９】
以上の処理が終了すると、タイマ１５ｃの計時を開始させ（ステップＳ１５）、ウィンドウＷ１内に設けられた一括停止ボタンＢ１及び通信を一時的に停止した無線デバイス１ｂ〜１ｄについてのアイコン等を非アクティブに変更する処理が通信停止制御部１５ｂによって行われる（ステップＳ１６）。具体的には、ウィンドウＷ１内に設けられた一括停止ボタンＢ１、トポロジ表示領域Ｒ０に表示されたアイコンＡ２〜Ａ４及び直線Ｌ２〜Ｌ４、セッションリスト表示領域Ｒ１１に表示されたセッションリスト中の無線デバイス１ｂ〜１ｄについてのセッション、並びにデバイスリスト表示領域Ｒ２１に表示されたデバイスリスト中の無線デバイス１ｂ〜１ｄが非アクティブにされる。これにより、一括停止ボタンＢ１及びアイコンＡ２〜Ａ４等に対する操作が不可になる。
【００５０】
次に、タイマ１５ｃの計時が終了したか否かが通信停止制御部１５ｂで判断される（ステップＳ１７）。タイマ１５ｃの計時が終了していないと判断した場合（判断結果が「ＮＯ」の場合）にはステップＳ１７の処理が継続される。これに対し、タイマ１５ｃの計時が終了したと判断した場合（判断結果が「ＹＥＳ」の場合）には、ステップＳ１６で非アクディブに変更した一括停止ボタンＢ１及びアイコンＡ２〜Ａ４等をアクティブに変更する処理が通信停止制御部１５ｂによって行われる（ステップＳ１８）。
【００５１】
ここで、タイマ１５ｃが計時すべき時間は、無線デバイス１ｂ〜１ｄの通信が停止される時間（例えば、６０秒）以上の時間に設定されている。このため、無線デバイス１ｂ〜１ｄに故障等が生じていなければ、タイマ１５ｃの計時が終了する時点においては、無線デバイス１ｂ〜１ｄの通信が再開されている。このため、タイマ１５ｃの計時が終了してからアクティブに変更された一括停止ボタンＢ１及びアイコンＡ２〜Ａ４を操作されると、その操作内容に応じた無線デバイス以外の無線デバイスの通信を同様に停止させることが可能である。
【００５２】
以上の通り、本実施形態では、通信を継続させる無線デバイス１ａが特定されて一括停止ボタンＢ１が押下された場合に、記憶部１４に記憶されたセッション情報Ｄ１及びデバイス情報Ｄ２を参照して無線デバイス１ａ以外の無線デバイス１ｂ〜１ｄを選択し、選択した無線デバイス１ｂ〜１ｄの通信を一括して停止するようにしている。このため、通信システムＣＳ１の管理者によって特定された無線デバイス１ａ以外の無線デバイス１ｂ〜１ｄの通信を、極めて容易な操作で迅速に停止させることができる。
【００５３】
〔第２実施形態〕
次に、本発明の第２実施形態について説明する。以上説明した第１実施形態は、無線通信ネットワークに参入している無線デバイス１ａ〜１ｄの接続形態が、ゲートウェイ２に対して直接接続される接続形態（所謂、シングルホップ接続）であることを前提としたものであった。本実施形態は、無線通信ネットワークに参入している無線デバイスの接続形態が、他の無線デバイスを介してゲートウェイ２に接続される接続形態（所謂、マルチホップ接続）であっても、特定の無線デバイス以外の無線デバイスの通信停止を可能とするものである。
【００５４】
図６は、本発明の第２実施形態による監視管理装置によって監視及び管理される通信システムの全体構成を示すブロック図である。図６に示す通り、通信システムＣＳ２は、無線デバイス１ａ〜１ｅ、ゲートウェイ２、システムマネージャ３、及び監視管理装置５を備えており、監視管理装置５の監視及び管理の下で、無線デバイス１ａ〜１ｅとシステムマネージャ３との間におけるゲートウェイ２を介した各種情報の通信が可能である。尚、図６中の無線デバイス１ａ〜１ｄ、ゲートウェイ２、及びシステムマネージャ３は、図１に示すものと同じものである。
【００５５】
図６に示す通り、無線デバイス１ａ〜１ｅのうちの無線デバイス１ａ〜１ｄは、第１実施形態と同様に、ゲートウェイ２に直接接続されている。これに対し、無線デバイス１ａ〜１ｅのうちの無線デバイス１ｅは、無線デバイス１ｂを介してゲートウェイ２に接続されている。つまり、無線デバイス１ｅとゲートウェイ２との間の通信経路は、無線デバイス１ｂを介して確立されている。尚、無線デバイスを介してゲートウェイ２に接続されている無線デバイスは複数存在していても良い。
【００５６】
図７は、本発明の第２実施形態による監視管理装置の要部構成を示すブロック図である。図７に示す通り、本実施形態の監視管理装置５は、入力部１１（入力手段）、表示部１２（表示手段）、通信部１３、記憶部１４（記憶手段）、制御部１５（制御手段）、及びドライブ装置１６を備えており、図２に示す監視管理装置４とほぼ同様の構成であるが、制御部１５に通信経路探索部１５ｄが設けられている点が図２に示す監視管理装置４とは相違する。
【００５７】
通信経路探索部１５ｄは、記憶部１４に記憶されたセッション情報Ｄ１及びデバイス情報Ｄ２を参照して無線デバイスの通信経路を探索する。具体的には、図４（ａ）に示すセッションに関するパラメータ「SourceDevice」（或いは「SourceSAP」）及び「DestinationDevice」（或いは「DestinationSAP」）を用いて、マルチホップ接続されている無線デバイス１ｅからゲートウェイ２までの通信経路を逆順に探索する。
【００５８】
ここで、本実施形態においても、上述した入力部１１〜制御部１５の機能はハードウェアにより実現することもできるが、ソフトウェアにより実現することもできる。つまり、記録媒体Ｍに記録されたプログラム（入力部１１〜制御部１５の機能を実現するプログラム）をドライブ装置１６を用いて読み出してコンピュータにインストールし、或いは、インターネット等のネットワークを介して記録媒体Ｍに記録されたプログラムと同様のプログラムをダウンロードしてコンピュータにインストールすることにより、入力部１１〜制御部１５の機能をソフトウェアにより実現できる。
【００５９】
図８は、本発明の第２実施形態による監視管理装置に表示される表示内容の一例を示す図である。図８に示す通り、監視管理装置５の表示部１２に設けられた表示装置には、図８中に示すウィンドウＷ２が表示される。このウィンドウＷ２には、図３に示すウィンドウＷ１と同様に、「トポロジ」タブＴ１及び「通信状況」タブＴ２が設けられており、「トポロジ」タブＴ１が選択された場合には、トポロジ表示領域Ｒ０、セッション情報表示領域Ｒ１、及びデバイス情報表示領域Ｒ２がウィンドウＷ２内に表示される。
【００６０】
ここで、図６に示す無線デバイス１ａ〜１ｅのうちの無線デバイス１ａ〜１ｄは、第１実施形態と同様に、ゲートウェイ２に直接接続されている。このため、ウィンドウＷ２内のトポロジ表示領域Ｒ０には、無線デバイス１ａ〜１ｄを示す４つのアイコンＡ１〜Ａ４、ゲートウェイ２を示すアイコンＢ、及び無線デバイス１ａ〜１ｄとゲートウェイ２との間の通信経路を示す直線Ｌ１〜Ｌ４が表示される。また、図６に示す残りの無線デバイス１ｅは、通信デバイス１ｂを介してゲートウェイ２に接続されている。このため、ウィンドウＷ２内のトポロジ表示領域Ｒ０には、無線デバイス１ｅを示すアイコンＡ５、及び、無線デバイス１ｅと無線デバイス１ｂとの間の通信経路を示す直線Ｌ５が表示される。
【００６１】
また、ウィンドウＷ２内のセッション情報表示領域Ｒ１には、図３に示すウィンドウＷ１と同様に、セッションリスト表示領域Ｒ１１、セッション詳細表示領域Ｒ１２、及び一括停止ボタンＢ１が設けられている。また、ウィンドウＷ２内の及びデバイス情報表示領域Ｒ２には、デバイスリスト表示領域Ｒ２１及びデバイス詳細表示領域Ｒ２２が設けられている。
【００６２】
次に、上記構成における監視管理装置の動作について説明する。本実施形態における監視管理装置５の基本的な動作は、第１実施形態の監視管理装置４と同様である。つまり、通信システムＣＳ２の管理者の監視管理装置５に対する指示に基づいて無線デバイス１ａ〜１ｅのうちから通信を継続させる無線デバイスを特定し、特定した無線デバイス以外の無線デバイスを選択し、選択した無線デバイスに対して監視管理装置５からスリープパケットを送信する動作が行われる。
【００６３】
但し、通信システムＣＳ２の管理者の指示によって、マルチホップ接続された無線デバイス１ｅが特定された場合には、まず制御部１５の通信経路探索部１５ｄによって、無線デバイス１ｅからゲートウェイ２までの通信経路が探索される。次に、無線デバイス選択部１５ａによって、この通信経路上に存在する無線デバイス１ｂ，１ｅ以外の無線デバイス１ａ，１ｃ，１ｄが通信を停止させる無線デバイスとして選択される。そして、通信停止制御部１５ｂの制御によって、これら無線デバイス１ａ，１ｃ，１ｄに対してスリープパケットが送信される。
【００６４】
以上の通り、本実施形態では、通信を継続させる無線デバイス１ｅが特定されて一括停止ボタンＢ１が押下された場合に、記憶部１４に記憶されたセッション情報Ｄ１及びデバイス情報Ｄ２を参照して無線デバイス１ｅからゲートウェイ２までの通信経路を探索するとともに、探索した通信経路上の無線デバイス１ｂ，１ｅ以外の無線デバイス１ａ，１ｃ，１ｄを選択し、選択した無線デバイス１ａ，１ｃ，１ｄの通信を一括して停止するようにしている。このため、通信システムＣＳ２の管理者によって特定された無線デバイス１ｅの通信を継続するために必要となる無線デバイス（無線デバイス１ｂ，１ｅ）以外の無線デバイス１ａ，１ｃ，１ｄの通信を、極めて容易な操作で迅速に停止させることができる。
【００６５】
〔第３実施形態〕
次に、本発明の第３実施形態について説明する。以上説明した第１，２実施形態は、管理者によって特定された無線デバイス（その特定された無線デバイスの通信を継続させるために必要な無線デバイス）以外の無線デバイスの通信を一括停止させることを基本とするものであった。これに対し、本実施形態は、セッション又は無線デバイス毎にプライオリティ（優先順位）を設定し、このプライオリティに基づいて無線デバイスの通信を一括して停止させるものである。
【００６６】
本実施形態の監視管理装置は、図１，図６に示す通信システムＣＳ１，ＣＳ２の何れであっても監視及び管理を行うことが可能であるが、以下では図６に示す通信システムＣＳ２の監視及び管理を行うものであるとする。つまり、本実施形態の監視管理装置によって監視及び管理される通信システムの全体構成は、図６に示す監視管理装置４に代えて本実施形態の監視管理装置を設けた構成である。
【００６７】
図９は、本発明の第３実施形態による監視管理装置の要部構成を示すブロック図である。図９に示す通り、本実施形態の監視管理装置６は、入力部１１（入力手段）、表示部１２（表示手段）、通信部１３、記憶部１４（記憶手段）、制御部１５（制御手段）、及びドライブ装置１６を備えており、図７に示す監視管理装置５とほぼ同様の構成であるが、制御部１５にプライオリティ設定部１５ｅが設けられている点が図７に示す監視管理装置５とは相違する。
【００６８】
プライオリティ設定部１５ｅは、記憶部１４に記憶されたセッション情報Ｄ１のセッション毎にプライオリティを設定する。具体的には、管理者の指示に基づいて、セッション毎に値「０」〜「５」の６段階のプライオリティを設定する。また、プライオリティ設定部１５ｅは、管理者の指示に基づいて、通信を停止させるセッションを規定するプライオリティ閾値を設定する。このプライオリティ閾値で規定されるプライオリティよりも低いプライオリティが設定されたセッションは停止される。
【００６９】
ここで、本実施形態においても、上述した入力部１１〜制御部１５の機能はハードウェアにより実現することもできるが、ソフトウェアにより実現することもできる。つまり、記録媒体Ｍに記録されたプログラム（入力部１１〜制御部１５の機能を実現するプログラム）をドライブ装置１６を用いて読み出してコンピュータにインストールし、或いは、インターネット等のネットワークを介して記録媒体Ｍに記録されたプログラムと同様のプログラムをダウンロードしてコンピュータにインストールすることにより、入力部１１〜制御部１５の機能をソフトウェアにより実現できる。
【００７０】
図１０は、本発明の第３実施形態による監視管理装置に表示される表示内容の一例を示す図である。図１０に示す通り、監視管理装置６の表示部１２に設けられた表示装置には、図１０中に示すウィンドウＷ３が表示される。このウィンドウＷ３には、図８に示すウィンドウＷ２と同様に、「トポロジ」タブＴ１及び「通信状況」タブＴ２が設けられており、「トポロジ」タブＴ１が選択された場合には、トポロジ表示領域Ｒ０、セッション情報表示領域Ｒ１、及びデバイス情報表示領域Ｒ２がウィンドウＷ３内に表示される。
【００７１】
但し、セッション情報表示領域Ｒ１内のセッションリスト表示領域Ｒ１１には、セッション毎の優先度を設定するリストボックスＶ１〜Ｖ７が設けられており、セッション情報表示領域Ｒ１内における一括停止ボタンＢ１の左側には、プライオリティ閾値を設定するリストボックスＱ１が設けられている。管理者が入力部１１に設けられた入力装置を操作するリストボックスＶ１〜Ｖ７，Ｑ１の値を変更すれば、セッション毎に設定されるプライオリティ及びプライオリティ閾値を「０」〜「５」の範囲で可変することができる。
【００７２】
次に、上記構成における監視管理装置の動作について説明する。尚、セッション毎のプライオリティ及びプライオリティ閾値は、管理者の指示によって予め設定されているものとする。図１０に示す例では、無線デバイス１ｂと無線デバイス１ｅとの間のセッションのプライオリティのみ「２」に設定されており、残りのセッションのプライオリティは全て「０」に設定されている。また、プライオリティ閾値は「２」に設定されている。
【００７３】
以上の設定がなされている状態で、例えば自然災害の発生等によって異常事態が発生した旨の緊急警報（アラート）が有線ネットワークＮ１を介して管理監視装置６に送信されてくると、まず制御部１５の通信経路探索部１５ｄによって、無線デバイス１ａ〜１ｅからゲートウェイ２までの通信経路が探索される。次に、無線デバイス選択部１５ａによって、プライオリティ閾値よりも低いプライオリティが設定されたセッションが、停止させるべきセッションとして選択される。
【００７４】
ここで、マルチホップ接続されている無線デバイス１ｅからゲートウェイ２までの通信経路については、プライオリティ閾値以上のプライオリティが設定されたセッションとプライオリティ閾値よりも低いプライオリティが設定されたセッションとが混在する場合がある。このような場合には、その通信経路をなすセッションの全てが停止させるべきセッションから除外される。図１０に示す例では、無線デバイス１ｂと無線デバイス１ｅとの間のセッションのプライオリティが「２」に設定されており、無線デバイス１ｂとゲートウェイ２との間のセッションのプライオリティが「０」に設定されているため、これらのセッションは停止させるべきセッションから除外される。
【００７５】
よって、最終的に無線デバイス選択部１５ａで選択されるセッションは、無線デバイス１ａとゲートウェイ２との間のセッション、無線デバイス１ｃとゲートウェイ２との間のセッション、及び無線デバイス１ｄとゲートウェイ２との間のセッションである。停止させるべきセッションが選択されると、通信停止制御部１５ｂの制御によって、これらのセッションを停止させるために、無線デバイス１ａ，１ｃ，１ｄに対してスリープパケットが送信される。
【００７６】
以上の通り、本実施形態では、予めセッション毎のプライオリティと停止させるべきセッションを規定するプライオリティ閾値とを設定しておき、緊急警報が送信されてきた場合に、上記のプライオリティ及びプライオリティ閾値に基づいて停止させるセッションを選択し、選択したセッションを停止させるために無線デバイス１ａ，１ｃ，１ｄに対してスリープパケットを送信するようにしている。このため、例えば緊急時に、管理者が監視管理装置６に対して指示を行わなくとも、予め意図した無線デバイス以外の無線デバイスの通信を迅速に停止させることができる。
【００７７】
尚、上記第３実施形態では、セッション毎にプライオリティが設定された例について説明したが、無線デバイス毎にプライオリティを設定しても良い。また、無線デバイスにプライオリティを設定する場合には、無線デバイス毎に１つのプライオリティを設定するのではなく、例えば図４（ｂ）に示す無線デバイスに関するパラメータ毎にプライオリティを設定しても良い。また、上記第３実施形態では、緊急警報が送信されてきた場合に、管理者が予め意図した無線デバイス以外の無線デバイスの通信を停止させる例について説明したが、管理者の指示によって一括停止ボタンＢ１が押下された場合にも同様の処理を行わせることが可能である。
【００７８】
以上、本発明の実施形態による監視管理装置、監視管理プログラム、及び記録媒体について説明したが、本発明は上述した実施形態に制限されることなく、本発明の範囲内で自由に変更が可能である。例えば、上記実施形態では、ゲートウェイ２とシステムマネージャ３とが別々の装置として実現されている例について説明したが、これらを１つの装置として実現することも可能である。更には、監視管理装置４，５，６の機能がシステムマネージャ３に設けられた構成にすることも可能である。
【符号の説明】
【００７９】
１ａ〜１ｅ        無線デバイス
４〜６            監視管理装置
１１              入力部
１２              表示部
１４              記憶部
１５              制御部
ＣＳ１，ＣＳ２    通信システム
Ｄ１              セッション情報
Ｄ２              デバイス情報
Ｍ                記録媒体
【図１】
0005163736.tif 000002
【図２】
0005163736.tif 000003
【図３】
0005163736.tif 000004
【図４】
0005163736.tif 000005
【図５】
0005163736.tif 000006
【図６】
0005163736.tif 000007
【図７】
0005163736.tif 000008
【図８】
0005163736.tif 000009
【図９】
0005163736.tif 000010
【図１０】
0005163736.tif 000011